(57)【要約】【課題】一つの外箱内に複数のスピーカーを梱包でき、紙材の使用量が少なく、多段状に積み重ねてもスピーカーに荷重がかかる虞れがなく、スピーカー梱包現場において容易に作業し得る新規な紙製梱包材を提供する。【解決手段】紙製基材ａの要所の折り曲げと連結で、スピーカーＢを定位置に保持する環状の内枠部２と四角筒状の外枠部１からなる紙製梱包材Ａが組み立てられる。内枠部２内にスピーカーＢを挿入すれば、フランジＢ１が凹部４に挿入されてスピーカーＢを定位置に保持でき、外側の外枠部１とで内外二重にスピーカーを保護し容易に梱包することができる。外枠部１がスピーカーの高さ分の幅ｈ２を備えるので、多段状に積重ねてもスピーカーＢに荷重がかかる虞れがなく多数のスピーカーを一つの外箱内に梱包することができる。外枠部１と内枠部２は折線１ａ，１ｃ、２ｂ，２ｆに沿って折り畳み自在なので、扁平状態で出荷し、梱包現場で開くだけで組み立て状態に復元できる。【選択図】  図３
0003103702.tif 000002
【実用新案登録請求の範囲】
【請求項１】
一枚の紙製基材（ａ）の要所の折り曲げと連結により組み立てられるスピーカー用紙製梱包材（Ａ）であって、
スピーカー（Ｂ）の外周を囲む外枠部（１）を構成する外側の板紙部材（１’）と、前記外枠部（１）の内側に配される内枠部（２）を構成する内側の板紙部材（２’）からなり、
前記外側の板紙部材（１’）は少なくともスピーカー（Ｂ）の高さ分の寸法（ｈ）を備え、折線（１ａ，１ｂ，１ｃ）を折り曲げると共に端部（１ｄ，１ｅ）同士を連結して四角筒状の外枠部（１）を構成し、
前記内側の板紙部材（２’）は少なくとも一箇所を折線（３）を介して外側の板紙部材（１’）に連結され、該折線（３）に沿って外側の板紙部材（１’）の内側に折り返し、且つ折線（２ａ，２ｂ，２ｃ，２ｄ，２ｅ，２ｆ，２ｇ）を折り曲げると共に端部（２ｉ，２ｊ）同士を連結して、前記外枠部（１）の内側に収容される環状の内枠部（２）を構成し、
さらに前記内枠部（２）には、スピーカー（Ｂ）の中高部位に突出するフランジ（Ｂ１）が係脱自在に挿入される凹部（４）を設けて、前記外枠部（１）の高さ寸法（ｈ２）の範囲内にて前記内枠部（２）内にスピーカー（Ｂ）が保持されるよう形成したことを特徴とするスピーカー用紙製梱包材。
【請求項２】
前記外枠部（１）を折線（１ａ，１ｃ）に沿って、前記内枠部（２）を折線（２ｂ，２ｆ）に沿って夫々折り畳み自在とすることで、四角筒状の外枠部（１）の内側に環状の内枠部（２）が配置された組み立て状態と、それら内外の枠部（１，２）が折り畳まれた扁平状態とに変形自在に形成したことを特徴とする請求項１記載のスピーカー用紙製梱包材。
【請求項３】
前記外枠部（１）が、前記折線（１ａ，１ｂ，１ｃ）で区画される四つの側面（１１，１２，１３，１４）を有する四角筒体であり、
前記内枠部（２）が、前記折線（２ａ，２ｂ，２ｃ，２ｄ，２ｅ，２ｆ，２ｇ）で区画される八つの側面（２１，２２，２３，２４，２５，２６，２７，２８）を有する八角筒体であり、
且つ、前記内枠部（２）の相対向する側面同士における任意の一組の側面の一方（２３）が、前記折線（３）により前記外枠部の任意の側面（１２）に連結され、他方の側面（２７）をテープ止めや接着などの止着手段により、前記外枠部の前記側面（１２）と相対向する側面（１４）に対し、前記一方の側面（２３）と偏位せしめて止着して、
前記内枠部（２）を、相対向する側面同士（２１，２５、２２，２６、２３，２７、２４，２８）が偏位して位置する変形八角筒体とし、
前記外枠部（１）内に前記内枠部（２）が配置された状態で、それら（１，２）を折線（１ａ，１ｃ、２ｂ，２ｆ）に沿って夫々折り畳み自在としたことを特徴とする請求項２記載のスピーカー用紙製梱包材。
【考案の詳細な説明】
【技術分野】
【０００１】
本考案は、スピーカーを梱包するための紙製梱包材に関する。
【背景技術】
【０００２】
旧来、スピーカーを梱包するために用いる梱包材は発泡スチロールにより成形されたものが用いられていたが、近年、環境問題などを考慮し、再利用可能な段ボール製の梱包材が使われるようになりつつある。
例えば、特許文献１には、段ボール製外箱の内底面に垂直に立ち上げた４つのフラップでスピーカーを定位置に支持するようにした梱包構造が開示されている。
また、特許文献２には、スピーカー背面の磁気回路が嵌入する位置決め孔を備えた底板部材と、該底板部材の左右側縁から折線を介して立ち上げる左右の側板部材と、それら側板部材の上縁から折線を介して連設された内外の天板部材からなり、それら５枚の板部材でスピーカーをくるむようにした梱包材が開示されている。
【０００３】
【特許文献１】特開２００２−２８６１号公報
【特許文献２】特開平６−２１１２３５号公報
【考案の開示】
【考案が解決しようとする課題】
【０００４】
前述した従来の梱包構造は、一つの外箱内に一つのスピーカーを収納する梱包構造において、フラップにより外箱内でスピーカーが動かないようにして破損を防止するものであり、複数のスピーカーを梱包する場合は複数の外箱が必要であり、紙材の使用量が多いためコスト高になるという問題がある。
一方、前述した従来の梱包材は、５枚の板部材でスピーカーを一つずつくるむので一つの外箱内に複数のスピーカーを梱包することができるが、スピーカーを多段状に積重ねた場合、スピーカー正面部と背面部に荷重がかかるので好ましくない。また、梱包現場において包装材を展開し、その底板部材の位置決め孔に磁気回路を嵌入した後、左右の側板部材、内外の天板部材を順次折り曲げてスピーカーをくるむので、梱包作業が面倒であるという不具合がある。
【０００５】
本考案はこのような従来事情に鑑みてなされたもので、その目的とする処は、一つの外箱内に複数のスピーカーを梱包するための紙製梱包材において、紙材の使用量を少なくしながら、多段状に積み重ねてもスピーカーに荷重がかかる虞れのない新規な紙製梱包材を提供することにある。また本考案の他の目的は、スピーカー梱包現場において容易に梱包作業を行うことができる新規な紙製梱包材を提供することにある。
【課題を解決するための手段】
【０００６】
以上の目的を達成するために、本考案に係るスピーカー用紙製梱包材は、請求項１では、一枚の紙製基材（ａ）の要所の折り曲げと連結により組み立てられるスピーカー用紙製梱包材（Ａ）であって、
スピーカー（Ｂ）の外周を囲む外枠部（１）を構成する外側の板紙部材（１’）と、前記外枠部（１）の内側に配される内枠部（２）を構成する内側の板紙部材（２’）からなり、
前記外側の板紙部材（１’）は少なくともスピーカー（Ｂ）の高さ分の寸法（ｈ２）を備え、折線（１ａ，１ｂ，１ｃ）で折り曲げると共に端部（１ｄ，１ｅ）同士を連結して四角筒状の外枠部（１）を構成し、
前記内側の板紙部材（２’）は少なくとも一箇所を折線（３）を介して外側の板紙部材（１’）に連結され、該折線（３）に沿って外側の板紙部材（１’）の内側に折り返し、且つ折線（２ａ，２ｂ，２ｃ，２ｄ，２ｅ，２ｆ，２ｇ）で折り曲げると共に端部（２ｉ，２ｊ）同士を連結して、前記外枠部（１）の内側に収容される環状の内枠部（２）を構成し、
さらに前記内枠部（２）には、スピーカー（Ｂ）の中高部位に突出するフランジ（Ｂ１）が係脱自在に挿入される凹部（４）を設けて、前記外枠部（１）の高さ寸法（ｈ）の範囲内にて前記内枠部（２）内にスピーカー（Ｂ）が保持されるよう形成したことを特徴とする。
【０００７】
請求項２では、前記外枠部（１）を折線（１ａ，１ｃ）に沿って、前記内枠部（２）を折線（２ｂ，２ｆ）に沿って夫々折り畳み自在とすることで、四角筒状の外枠部（１）の内側に環状の内枠部（２）が配置された組み立て状態と、それら内外の枠部（１，２）が折り畳まれた扁平状態とに変形自在に形成したことを特徴とする。
【０００８】
請求項３では、前記外枠部（１）が、前記折線（１ａ，１ｂ，１ｃ）で区画される四つの側面（１１，１２，１３，１４）を有する四角筒体であり、
前記内枠部（２）が、前記折線（２ａ，２ｂ，２ｃ，２ｄ，２ｅ，２ｆ，２ｇ）で区画される八つの側面（２１，２２，２３，２４，２５，２６，２７，２８）を有する八角筒体であり、
且つ、前記内枠部（２）の相対向する側面同士における任意の一組の側面の一方（２３）が、前記折線（３）により前記外枠部の任意の側面（１２）に連結され、他方の側面（２７）をテープ止めや接着などの止着手段により、前記外枠部の前記側面（１２）と相対向する側面（１４）に対し、前記一方の側面（２３）と偏位せしめて止着して、
前記内枠部（２）を、相対向する側面同士（２１，２５、２２，２６、２３，２７、２４，２８）が偏位して位置する変形八角筒体とし、
前記外枠部（１）内に前記内枠部（２）が配置された状態で、それら（１，２）を折線（１ａ，１ｃ、２ｂ，２ｆ）に沿って夫々折り畳み自在としたことを特徴とする。
【考案の効果】
【０００９】
本考案に係るスピーカー用紙製梱包材は以上説明したように構成したので、以下に記載されるような効果を奏する。
（請求項１）
一枚の紙製基材の要所の折り曲げと連結により、スピーカーを定位置に保持するための環状の内枠部と、該内枠部を囲む四角筒状の外枠部を組み立てることができ、それら内枠部と外枠部を構成する内外の板紙部材は、一枚の矩形状の板紙を所定形状に打ち抜くと共に所要箇所に折線と切れ線を形成して得ることができるので、紙材の無駄が少なく、低コストで作製することができる。また、環状の内枠部内にスピーカーを挿入すれば、スピーカーのフランジが凹部に挿入されてスピーカーを定位置に保持することができ、その外側に位置する外枠部とで内外二重にスピーカーを保護して、容易に梱包することができる。また、外枠部がスピーカーの高さ分の幅を備えるので、多段状に積重ねてもスピーカーに荷重がかかる虞れがなく、多数のスピーカーを一つの外箱内に梱包することができるなど、多くの効果を奏する。
【００１０】
（請求項２）
外枠部と内枠部を折線に沿って夫々折り畳み自在としたので、段ボール工場等において、紙製基材の要所の折り曲げと連結により、四角筒状の外枠部の内側に環状の内枠部が配置された組み立て状態に組み立てた後、その外枠部と内枠部が折り畳まれた扁平状態で出荷することができ、搬送コストを大幅に軽減することができる。また、梱包現場においては、外枠部と内枠部を開くだけで容易に組み立て状態に復元することができ、その内枠部内にスピーカーを挿入するだけの簡単な作業で梱包が行えるなど、多くの効果を奏する。
【００１１】
（請求項３）
四角筒状の外枠部内に収容された内枠部を、相対向する側面同士が偏位して位置する変形八角筒体として、外枠部内に内枠部が配置された状態のままでそれらを一体に折り畳み自在としたので、梱包現場における梱包材の組み立てをより迅速且つ容易に行うことができ、スピーカー梱包作業をより効率良く行えるなど、多くの効果を奏する。
【考案を実施するための最良の形態】
【００１２】
以下、本考案に係るスピーカー用紙製梱包材の実施形態の一例を図１〜図４を参照して説明する。本例の紙製梱包材Ａは、一枚の紙製基材ａの要所の折り曲げと貼り着けにより組み立てられている。
【００１３】
紙製基材ａは、図１に示すように、所定の大きさの一層または二層以上の多層段ボールから、外側の板紙部材１’と内側の板紙部材２’を並列状に位置するよう打ち抜くと共に、それら板紙部材１’，２’の所要箇所に後述する各折線と切線を形成したもので、外側の板紙部材１’と内側の板紙部材２’は折線３で連結されている。
【００１４】
外側の板紙部材１’は、スピーカーＢの外周を囲む外枠部１を構成するもので、スピーカーＢの高さ寸法ｈ１よりやや大寸の幅寸法ｈ２を備え、図２（イ）〜（ニ）に示すように、折線１ａ，１ｂ，１ｃを折り曲げると共に、端部１ｄ，１ｅ同士を粘着テープや接着剤などで貼り着けて、折線１ａ，１ｂ，１ｃで区画される四つの側面１１，１２，１３，１４を有する四角筒状の外枠部１が組み立てられるようになっている。
【００１５】
内側の板紙部材２’は、スピーカーＢを保持する内枠部２を構成するもので、外側の板紙部材１’とほぼ同寸の幅寸法ｈ３を備え、図２（イ）〜（ハ）に示すように、折線２ａ，２ｂ，２ｃ，２ｄ，２ｅ，２ｆ，２ｇ，２ｈを折り曲げると共に、端部２ｉ，２ｊ同士を粘着テープや接着剤などで貼り着けて、折線２ａ，２ｂ，２ｃ，２ｄ，２ｅ，２ｆ，２ｇで区画される八つの側面２１，２２，２３，２４，２５，２６，２７，２８を有する八角筒状の内枠部２が組み立てられるようになっている。
内枠部２は、図２（ハ）〜（ニ）に示すように、前記折線３に沿って内側に折り曲げられ、外枠部（１）の内側に収容されるようになっている。尚、折線３を折り曲げるタイミングは、図示するように内枠部２を組み立てた後でも良いし、組み立て前の内側の板紙部材２’を折線３に沿って内側に折り曲げた後に内枠部２を組み立て、次いで外枠部１を組み立てても良く任意である。
また本例では、被梱包体であるスピーカーＢが平面視略楕円形状であるので、内枠部２は多数の折線２ａ〜２ｈを折り曲げた平面視略楕円形となり得る変形八角筒状となるようにしたが、必ずしもこれに限定されず、スピーカーＢの平面形状の変更に合わせて、内側の板紙部材２’の所要箇所に所要数の折線を形成し、内枠部２の平面形状をスピーカーＢの外形に合致するよう形成することもできる。
【００１６】
内側の板紙部材２’の側縁部には、スピーカーＢの中高部位に突出するフランジＢ１が係脱自在に挿入される凹部４が適宜複数箇所に凹設されており、図３，図４に示すように、内枠部２内に挿入したスピーカーＢを内枠部２の幅寸法ｈ３内（外枠部１の幅寸法ｈ２内）で移動不能に保持し得るようになっている。
【００１７】
図２（ニ）〜（ホ）に示すように、外枠部１は折線１ａ，１ｃに沿って、内枠部２は折線２ｂ，２ｆに沿って、夫々扁平な折り畳み状態１”，２”に変形自在に形成されている。すなわち、本例の紙製梱包材Ａは、図２（ニ）に示す組み立て状態と、図２（ホ）に示す扁平状態とに変形自在に形成されている。尚、前記組み立て状態と扁平状態との間の変形動作が迅速且つ確実になされるように、外枠部１と内枠部２における前記折線３と対向する箇所３’を不図示の粘着テープ等で止着しておくことが好ましい。
より具体的には、内枠部２の相対向する側面同士における一組の側面のうちの一方２３が、折線３により外枠部１の側面１２に連結され、他方の側面２７を粘着テープや接着などの止着手段により、外枠部における側面１２と相対向する側面１４の前記箇所３’に対し、前記一方の側面２３と偏位せしめて止着することで、内枠部２を、相対向する側面同士２１，２５、２２，２６、２３，２７、２４，２８が偏位して位置する変形八角筒体とし、外枠部１を折り畳む折線１ａ，１ｃと内枠部２を折り畳む折線２ｂ，２ｆとを偏位せしめて、外枠部１内に内枠部２が配置されたままの状態でそれら１，２を折線１ａ，１ｃ、２ｂ，２ｆに沿って夫々折り畳み自在としている。
【００１８】
以上の構成になる本例の紙製梱包材Ａは、紙製基材ａの要所の折り曲げと貼り着けにより、スピーカーＢを定位置に保持するための内枠部２と、該内枠部２を囲む外枠部１を組み立てることができる。
梱包時は、内枠部２内にスピーカーＢを挿入すれば、フランジＢ１が凹部４に挿入されてスピーカーＢが定位置に保持され、内枠部２の外側に配された外枠部１によりスピーカーＢを二重に保護することができる。梱包材Ａの上下面は開放面となるが、外枠部１と内枠部２がスピーカーＢの高さ分の幅を備えるので、多段状に積重ねてもスピーカーＢに荷重がかかる虞れがなく、多数のスピーカーＢを一つの外箱内に収容して梱包することができる。
また、四角筒状の外枠部１の内側に環状の内枠部２が配置された組み立て状態と、これら外枠部１と内枠部２が折り畳まれた扁平状態とに容易に変形し得るので、梱包材Ａのみの場合は扁平状態での搬送を可能として搬送コストの低減に寄与すると共に、梱包現場では簡単に組み立てて梱包作業の効率化を図ることができるなど、多くの効果を奏する。
【００１９】
以上、本考案の実施形態の一例を図面を参照して説明したが、本考案に係るスピーカー用紙製梱包材は図示例に限定されず、実用新案登録請求の範囲の各請求項に記載された技術的思想の範疇において種々の変更が可能であることは言うまでもない。
【図面の簡単な説明】
【００２０】
【図１】紙製梱包材用の紙製基材の平面図。
【図２】紙製基材の要所の折り曲げと貼り着けにより紙製梱包材を組み立てる手順を示す斜視図。
【図３】紙製梱包材の使用状態を示す斜視図。
【図４】紙製梱包材の使用状態を示す平面図。
【符号の説明】
【００２１】
Ａ：紙製梱包材
ａ：紙製基材
１：外枠部
１’：外側の板紙部材
１ａ，１ｂ，１ｃ：折線
１ｄ，１ｅ：端部
１１，１２，１３，１４：側面
２：内枠部
２’：内側の板紙部材
２ａ，２ｂ，２ｃ，２ｄ，２ｅ，２ｆ，２ｇ：折線
２ｈ，２ｉ：端部
２１，２２，２３，２４，２５，２６，２７，２８：側面
３：折線
４：凹部
Ｂ：スピーカー
Ｂ１：フランジ
【図１】
0003103702.tif 000003
【図２】
0003103702.tif 000004
【図３】
0003103702.tif 000005
【図４】
0003103702.tif 000006